【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
（Ａ）ユーザによって操作されるユーザデバイスから、前記ユーザの経験に関連する第１の情報の捕捉のインジケーションを受信する動作と、
（Ｂ）少なくとも１つの場所決定コンポーネントを使用して、前記インジケーションが受信される時間における前記ユーザデバイスの場所を決定する動作と、
（Ｃ）前記ユーザデバイスとは別の少なくとも１つの情報捕捉コンポーネントにより、前記ユーザの前記経験に関連する、前記第１の情報と異なる第２の情報の捕捉を行わせる動作と、
（Ｄ）前記第１の情報および前記第２の情報が格納されるようにする動作であって、前記格納する動作は、前記第１の情報および前記第２の情報を前記ユーザ、前記経験、前記場所、および前記時間の少なくとも１つと関連付けることを含む、格納されるようにする動作と、
（Ｅ）前記ユーザの前記経験に関連する前記第１の情報および前記第２の情報へのアクセスを前記ユーザに提供する動作と
を含む、方法。
【請求項２】
前記ユーザの前記経験は、前記ユーザがイベント設定でイベントを閲覧することを含み、前記第１の情報は、第１の有利な地点からの前記イベントおよび／または前記イベント設定を表現し、および前記動作（Ｃ）は、第２の有利な地点からの前記イベントおよび／または前記イベント設定を表現する第２の情報の捕捉を行わせることを含む、請求項１に記載の方法。
【請求項３】
前記ユーザの前記経験は、前記ユーザがイベント設定でイベントを閲覧することを含み、前記動作（Ｃ）は、前記イベントにおける前記ユーザを表現する第２の情報の捕捉を行わせることを含む、請求項１に記載の方法。
【請求項４】
前記ユーザの前記経験は、前記ユーザがイベント設定でイベントを閲覧することを含み、前記動作（Ａ）は、前記ユーザに関するバイオメトリックデータ、前記ユーザデバイスの周りの環境条件のインジケーション、およびソーシャルメディアプラットフォーム上の前記イベントに関連する論評の１つまたは複数を捕捉することを含む、請求項１に記載の方法。
【請求項５】
前記動作（Ａ）は、捕捉されている前記ユーザに関するバイオメトリック情報のインジケーションを受信することを含み、前記バイオメトリック情報は、前記ユーザの心拍数が特定の閾値レートに達したこと、前記ユーザの虹彩が閾値量だけ拡大したこと、前記ユーザの声が特定の音量および／またはピッチに達したこと、ならびに前記ユーザが特定のジェスチャまたは動きを実行したことの１つまたは複数を含む、請求項４に記載の方法。
【請求項６】
前記動作（Ａ）は、前記ユーザデバイスの周りの環境条件のインジケーションを受信することを含み、前記環境条件は、前記ユーザデバイスの周りの騒音レベル、前記ユーザの閾値数の友人が前記ユーザデバイスの極めて近くにいること、特定の個人が前記ユーザデバイスの極めて近くにいること、および天候関連のイベントが前記ユーザデバイスの周りで起こっていることの１つまたは複数を含む、請求項４に記載の方法。
【請求項７】
前記動作（Ａ）は、前記ユーザデバイスへのユーザ入力に応答して前記第１の情報の捕捉のインジケーションを受信することを含む、請求項１に記載の方法。
【請求項８】
前記動作（Ｅ）は、前記ユーザ以外の個人に前記第１の情報および前記第２の情報へのアクセスを提供することを含む、請求項１に記載の方法。
【請求項９】
前記動作（Ｅ）は、前記個人と前記ユーザとの関連性、前記経験、および／または前記場所を識別することに応答して自動的に前記個人にアクセスを提供することを含む、請求項８に記載の方法。
【請求項１０】
符号化された命令を有する少なくとも１つのコンピュータ可読記憶媒体であって、前記命令は、少なくとも１つの場所決定コンポーネント、少なくとも１つの情報捕捉コンポーネント、および少なくとも１つのブックマークサーバを含むシステムにおいて少なくとも１つのコンピュータプロセッサによって実行されると、
（Ａ）ユーザデバイスから、前記ユーザデバイスのユーザの経験に関連する第１の情報の捕捉のインジケーションを受信する動作と、
（Ｂ）前記インジケーションが受信される時間における前記ユーザデバイスの場所を決定する動作と、
（Ｃ）前記ユーザの前記経験に関連する、前記第１の情報と異なる第２の情報の捕捉を行わせる動作と、
（Ｄ）前記第１の情報および前記第２の情報が格納されるようにする動作であって、前記格納する動作は、前記第１の情報および前記第２の情報を前記ユーザ、前記経験、前記場所、および前記時間の少なくとも１つと関連付けることを含む、格納されるようにする動作と、
（Ｅ）前記ユーザの前記経験に関連する前記第１の情報および前記第２の情報へのアクセスを前記ユーザに提供する動作と
を含む方法を前記少なくとも１つのプロセッサに実行させる、少なくとも１つのコンピュータ可読記憶媒体。
【請求項１１】
ユーザによって操作されるユーザデバイスからの送信を受信するように構成された少なくとも１つの通信デバイスと、
情報を捕捉するように構成されている、前記ユーザデバイスとは別の少なくとも１つの情報捕捉デバイスと、
前記ユーザデバイスおよび前記少なくとも１つの情報捕捉デバイスによって捕捉された情報を格納し、かつそれへのアクセスを提供するように構成された少なくとも１つの記憶装置と、
符号化された命令を有する少なくとも１つのコンピュータ可読記憶媒体と、
少なくとも１つのコンピュータプロセッサであって、前記命令を介して、
前記少なくとも１つの通信デバイスを介して前記ユーザデバイスから、前記ユーザデバ
イスのユーザの経験に関連する第１の情報の捕捉のインジケーションを受信することと、
前記少なくとも１つの通信デバイスによって提供された情報に少なくとも部分的に基づいて、前記インジケーションが受信される時間における前記ユーザデバイスの場所を決定することと、
前記少なくとも１つの情報捕捉デバイスにより、前記ユーザの前記経験に関連する、前記第１の情報と異なる第２の情報の捕捉を行わせることと、
前記第１の情報および前記第２の情報が前記少なくとも１つの記憶装置によって格納されるようにすることであって、前記格納することは、前記第１の情報および前記第２の情報を前記ユーザ、前記経験、前記場所、および前記時間の少なくとも１つと関連付けることを含む、格納されるようにすることと、
前記ユーザの前記経験に関連する前記第１の情報および前記第２の情報へのアクセスを前記ユーザに提供することを前記少なくとも１つの記憶装置に行わせることと
を行うようにプログラムされる、少なくとも１つのコンピュータプロセッサと
を含む、装置。
【請求項１２】
前記ユーザの前記経験は、前記ユーザがイベント設定でイベントを閲覧することを含み、前記第１の情報は、第１の有利な地点からの前記イベントおよび／または前記イベント設定を表現し、および前記少なくとも１つのコンピュータプロセッサは、前記少なくとも１つの情報捕捉デバイスにより、第２の有利な地点からの前記イベントおよび／または前記イベント設定を表現する第２の情報の捕捉を行わせるようにプログラムされる、請求項１１に記載の装置。
【請求項１３】
前記ユーザの前記経験は、前記ユーザがイベント設定でイベントを閲覧することを含み、前記少なくとも１つのコンピュータプロセッサは、前記少なくとも１つの情報捕捉デバイスにより、前記イベントにおける前記ユーザを表現する第２の情報の捕捉を行わせるようにプログラムされる、請求項１１に記載の装置。
【請求項１４】
前記ユーザの前記経験は、前記ユーザがイベント設定でイベントを閲覧することを含み、前記少なくとも１つのコンピュータプロセッサは、前記ユーザデバイスから、前記ユーザに関するバイオメトリックデータ、前記ユーザデバイスの周りの環境条件のインジケーション、およびソーシャルメディアプラットフォーム上の前記イベントに関連する論評の１つまたは複数の捕捉のインジケーションを受信するようにプログラムされる、請求項１１に記載の装置。
【請求項１５】
前記少なくとも１つのコンピュータプロセッサは、前記ユーザデバイスから、捕捉されている前記ユーザに関するバイオメトリック情報のインジケーションを受信するようにプ
ログラムされ、前記バイオメトリック情報は、前記ユーザの心拍数が特定の閾値レートに達したこと、前記ユーザの虹彩が閾値量だけ拡大したこと、前記ユーザの声が特定の音量および／またはピッチに達したこと、ならびに前記ユーザが特定のジェスチャまたは動きを実行したことの１つまたは複数を含む、請求項１４に記載の装置。
【請求項１６】
前記少なくとも１つのコンピュータプロセッサは、前記ユーザデバイスから、前記ユーザデバイスの周りの環境条件のインジケーションを受信するようにプログラムされ、前記環境条件は、前記ユーザデバイスの周りの騒音レベル、前記ユーザの閾値数の友人が前記ユーザデバイスの極めて近くにいること、特定の個人が前記ユーザデバイスの極めて近くにいること、および天候関連のイベントが前記ユーザデバイスの周りで起こっていることの１つまたは複数を含む、請求項１４に記載の装置。
【請求項１７】
前記少なくとも１つのコンピュータプロセッサは、前記ユーザデバイスにより、前記ユーザデバイスへのユーザ入力に応答して前記第１の情報の捕捉のインジケーションを受信するようにプログラムされる、請求項１１に記載の装置。
【請求項１８】
前記少なくとも１つのコンピュータプロセッサは、前記ユーザ以外の個人に前記第１の情報および前記第２の情報へのアクセスを提供することを前記少なくとも１つの記憶装置に行わせるようにプログラムされる、請求項１１に記載の装置。
【請求項１９】
前記少なくとも１つのコンピュータプロセッサは、前記個人と前記ユーザとの関連性、前記経験、および／または前記場所を識別することに応答して自動的に前記個人にアクセスを提供することを前記少なくとも１つの記憶装置に行わせるようにプログラムされる、請求項１８に記載の装置。